(57)【要約】【課題】通信方向の設定作業を不要にし、電力量計測システムの設置作業を効率化する。【解決手段】電力量計１又は電力量計で計量された計量値を表示する表示端末２が接続され、電力量計又は表示端末との間で通信を行う電力量計用の通信装置３であって、表示端末と通信するための第１通信路５１、２５又は電力量計と通信するための第２通信路５２、３５の何れか一方を選択する通信回路部３３と、表示端末の接続の有無を調べ、表示端末に接続されている場合に第１通信路を選択し、表示端末が接続されていない場合に第２通信路を選択するように通信回路部３３を制御し、選択された第１通信路又は第２通信路を用いて電力量計又は表示端末との間で通信を行う制御部３２とを備える。【選択図】      図１
2006275799.tif 000002
【特許請求の範囲】
【請求項１】
使用電力量を計量する電力量計又は前記電力量計で計量された計量値を表示する表示端末が接続され、前記電力量計又は前記表示端末との間で通信を行う電力量計用の通信装置であって、
前記表示端末と通信するための第１通信路又は前記電力量計と通信するための第２通信路の何れか一方を選択する通信回路部と、
前記表示端末の接続の有無を調べ、前記表示端末が接続されている場合に前記第１通信路を選択し、前記表示端末が接続されていない場合に前記第２通信路を選択するように前記通信回路部を制御し、選択された第１通信路又は第２通信路を用いて前記電力量計又は前記表示端末との間で通信を行う制御部と、
を備えることを特徴とする電力量計用の通信装置。
【請求項２】
前記通信回路部は、
前記第１通信路に接続された第１通信インタフェースと、
前記第２通信路に接続された第２通信インタフェースとを備え、
前記制御部は、
前記第１通信インタフェースにＯＮ／ＯＦＦする信号を送信し、前記第１通信インタフェースからＯＮ／ＯＦＦする信号が戻ってきた場合に前記第１通信インタフェースを選択し、前記第１通信インタフェースから一定レベルの信号が戻ってきた場合に前記第２通信インタフェースを選択し、選択された第１通信インタフェース又は第２通信インタフェースを用いて前記電力量計又は前記表示端末との間で通信を行うことを特徴とする請求項１記載の電力量計用の通信装置。
【請求項３】
前記通信回路部は、
通信インタフェースと、
共通接点が前記通信インタフェースに、第１接点が前記第１通信路に、第２接点が前記第２通信路にそれぞれ接続されたリレー回路とを備え、
前記制御部は、
前記リレー回路の共通接点を第１接点に接続させて前記通信インタフェースにＯＮ／ＯＦＦする信号を送信し、前記通信インタフェースからＯＮ／ＯＦＦする信号が戻ってきた場合は前記共通接点を第１接点に接続した状態を維持し、前記通信インタフェースから一定レベルの信号が戻ってきた場合は前記共通接点を第２接点に接続するように切り換え、前記電力量計又は前記表示端末との間で通信を行うことを特徴とする請求項１記載の電力量計用の通信装置。
【請求項４】
前記通信回路部は、
前記第１通信路に接続された第１通信インタフェースと、
前記第２通信路に接続された第２通信インタフェースとを備え、
前記制御部は、
前記第１通信インタフェースに前記表示端末の接続の有無を照会する照会コマンドを送信し、該照会コマンドに応答して前記第１通信インタフェースから前記表示端末が接続されていることを表す応答コマンドが所定時間内に戻ってきた場合に前記第１通信インタフェースを選択し、前記応答コマンドが所定時間内に戻ってこなかった場合に前記第２通信インタフェースを選択し、選択された第１通信インタフェース又は第２通信インタフェースを用いて前記電力量計又は前記表示端末との間で通信を行うことを特徴とする請求項１記載の電力量計用の通信装置。
【請求項５】
使用電力量を計量する電力量計又は前記電力量計で計量された計量値を表示する表示端末が接続され、前記電力量計又は前記表示端末との間で通信を行う電力量計用の通信装置であって、
前記表示端末と通信するための第１通信路又は前記電力量計と通信するための第２通信路の何れか一方を選択するプッシュスイッチと、
前記プッシュスイッチがオンされている場合に前記第１通信路を選択し、前記プッシュスイッチがオフされている場合に前記第２通信路を選択し、選択された第１通信路又は第２通信路を用いて前記電力量計又は前記表示端末との間で通信を行う制御部とを備え、
前記プッシュスイッチは、封印用金具によって前記電力量計に取り付けられた場合にオフされ、前記表示端末と一緒に前記電力量計に取り付けられた場合にオンされることを特徴とする電力量計用の通信装置。
【請求項６】
前記封印金具は、前記プッシュスイッチに対向する位置に凹部を有し、前記封印用金具によって前記電力量計に取り付けられた場合に前記プッシュスイッチが前記凹部によって押し込まれないことによりオフされ、
前記表示端末は、前記プッシュスイッチに対向する位置に凹部を有せず、前記電力量計に取り付けられた場合に前記プッシュスイッチが押し込まれることによりオンされることを特徴とする請求項５記載の電力量計用の通信装置。
【請求項７】
前記封印金具は、前記プッシュスイッチに対向する位置に凸部を有し、前記封印用金具によって前記電力量計に取り付けられた場合に前記プッシュスイッチが前記凸部によって押し込まれることによりオフされ、
前記表示端末は、前記プッシュスイッチに対向する位置に凸部を有せず、前記電力量計に取り付けられた場合に前記プッシュスイッチが押し込まれないことによりオンされることを特徴とする請求項５記載の電力量計用の通信装置。
【請求項８】
使用電力量を計量する電力量計又は前記電力量計で計量された計量値を表示する表示端末が接続され、前記電力量計又は前記表示端末との間で通信を行う電力量計用の通信装置であって、
前記表示端末と通信するための第１通信路又は前記電力量計と通信するための第２通信路の何れか一方を選択するスライドスイッチと、
前記スライドスイッチがオンされている場合に前記第１通信路を選択し、前記スライドスイッチがオフされている場合に前記第２通信路を選択し、選択された第１通信路又は第２通信路を用いて前記電力量計又は前記表示端末との間で通信を行う制御部と、
前記第１通信路を介して前記表示端末に接続するための接続端子をケースから露出させる開口部と、
前記開口部を開閉させ、前記スライドスイッチに係合する凸部が形成された端子カバーとを備え、
前記スライドスイッチは、前記端子カバーが閉じられることにより前記凸部によって一方向に移動されてオフされ、前記端子カバーが開かれることにより前記凸部によって他方向に移動されてオンされることを特徴とする電力量計用の通信装置。
【発明の詳細な説明】
【技術分野】
【０００１】
本発明は、電力量計で計量された使用電力量を上位端末に送信する電力量計用の通信装置（以下、単に「通信装置」という）に関する。
【背景技術】
【０００２】
従来、需要家の使用電力量を計量する電力量計が知られている。このような電力量計に対し、時間帯や季節によって電力料金を差別化した付加価値を有するデータや、きめの細かい計量・計測データ、例えば、有効電力量・無効電力量、力率、位相遅れ・進みなどのデータを取得したいという要望がある。そこで、近年は、種々のデータを取得できる多機能な電力量計が開発されている。
【０００３】
また、電力量計に表示端末を接続し、電力量計から得られる計量値を季節別及び／又は時間帯別に計算して表示端末に表示する電力量計測システムが使用されている。更に、上述した多機能な電力量計から得られるデータは多量であるので、検針作業性の省力化のために、電力量計又は表示端末に通信装置を接続し、この通信装置を用いて、電力量計から得られた計測データや表示端末に表示されたデータを上位端末に送信する電力量計測システムも開発されている。
【０００４】
図２０はこのような従来の電力量計測システムの電気的な構成を示すブロック図である。この電力量計測システムは、電力量計１、表示端末２及び通信装置３ａから構成されている。電力量計１は、電源部１１、計量制御部１２及びモジュラ端子１３から構成されている。モジュラ端子１３は、外部接続端末用のＡＣ電源端子（２端子）及び外部接続端末用の通信端子（２端子）から構成されている。
【０００５】
電源部１１は、外部の電源４から供給される電力を電力量計１の内部で取り扱い可能な電圧を有する電力に変換する（特許文献１参照）。この電源部１１で変換された電力は、計量制御部１２に供給されるとともに、モジュラ端子１３のＡＣ電源端子からＡＣ電源線２３によって接続された表示端末２及びＡＣ電源線３４によって接続された通信装置３に供給される。
【０００６】
計量制御部１２は、使用電力量を計量するとともに、モジュラ端子１３の外部接続端末用通信端子から通信線２４を介して接続された表示端末２及び通信線３５を介して接続された通信装置３ａとの間で行われる通信を制御する。
【０００７】
表示端末２は、電源部２１及び制御・表示部２２から構成されており、上述したように、ＡＣ電源線２３及び通信線２４を介して電力量計１のモジュラ端子１３に接続されている。電源部２１は、電力量計１から供給された電力を内部で取り扱い可能な電圧を有する電力に変換する。この電源部２１で変換することにより得られた電力は、制御・表示部２２に供給される。
【０００８】
制御・表示部２２は、電力量計１で計量された計量値を季節別及び時間帯別に計算し表示を行う。また、制御・表示部２２は、通信線２４によって接続された電力量計１及び通信線２５によって接続された通信装置３ａとの間で行われる通信を制御する。
【０００９】
通信装置３ａは、電源部３１ａ、制御部３２ａ及び通信回路部３３ａから構成されている。この通信装置３ａは、ＡＣ電源線３４及び通信線３５を介して電力量計１のモジュラ端子１３に接続されるとともに、通信線２５を介して表示端末２に接続されている。電源部３１ａは電力量計１から供給された電力を内部で取り扱い可能な電圧を有する電力に変換する。この電源部３１ａで変換することにより得られた電力は、制御部３２ａ及び通信回路部３３ａに供給される。
【００１０】
制御部３２ａは、通信線３５によって接続された電力量計１及び通信線２５によって接続された表示端末２との間で行われる通信及び上位端末（図示しない）との間で行われる通信を制御する。
【００１１】
通信回路部３３ａは、電力量計１又は表示端末２と通信を行う通信線として、通信線２５を使用するか通信線３５を使用するかを切り替える。
【００１２】
以上のように構成された従来の電力量計測システムでは、、通信装置３ａが電力量計１又は表示端末２と通信を行う場合は、通信装置３ａの通信回路部３３ａは、通信線２５を利用して通信を行い、電力量計１に接続されている通信線３５は使用されない。従って、通信装置３ａと電力量計１との間の通信は、必ず表示端末２を経由して行われる。
【００１３】
これは、表示端末２が電力量計１と通信を行っている最中に、通信装置３ａが電力量計１と通信を行おうとすると、衝突が起こって通信ができなくなる事態を回避するためである。また、電力量計１との通信インタフェース条件を満足するためには、電力量計１の外部接続端末用通信端子には、通信可能な通信線は同時に必ず１通信線しか接続できないからである。
【００１４】
図２１は図２０に示した電力量計測システムから表示端末２を除去した、従来の電力量計測システムを示す。この電力量計測システムは、電力量計１と通信装置３ａとから構成されている。電力量計１及び通信装置３ａの構成及び動作は、図２１に示した電力量計測システムのそれらと同じである。
【００１５】
この電力量計測システムの場合には、通信装置３ａは電力量計１と直接に通信を行うため、通信装置３ａの通信回路部３３ａは、通信線３５を使用して電力量計１と通信を行うように切り替えられる。
【００１６】
図２２は通信装置３ｂを構成する通信回路部３３ｂの詳細な構成を示すブロック図である。通信回路部３３ｂは、通信インタフェース（Ｉ／Ｆ）５１ｂと例えばスライドスイッチから成るスイッチ回路５ｂとから構成されている。このスイッチ回路５ｂのスイッチの設定により、制御部３２ｂは、表示端末２側の通信線２５又は電力量計１側の通信線３５に接続される。
【００１７】
従って、図２０に示すような表示端末２が含まれる電力量計測システムにおいては、機器設置時に、制御部３２ａと表示端末２側の通信線２５とを接続するようにスライドスイッチを設定し、図２１に示すような表示端末２が含まれない電力量計測システムにおいては、制御部３２ａと電力量計１側の通信線３５とを接続するようにスライドスイッチを設定する必要がある。
【００１８】
なお、関連する技術として、表示端末の電源回路の規模を縮小し、表示端末を小型化することで、小型化することができる電力量測定システムが知られている（特許文献１参照）。この電力量測定システムは、使用電力量を計量する電力量計と、この電力量計で計量された計量値を表示する表示端末とを有し、電力量計は、外部からの電源の電圧に基づき所定の電圧を生成する電源回路と、この電源回路の出力電圧を、電力量計の動作電源として出力し且つ表示端末に動作電源として出力する二次側電圧分岐回路とを有する。
【００１９】
また、他の技術として、金属製のカバーを取り扱うときの作業性がよく、短絡・感電事故の可能性をなくした使用電力量表示端末が知られている（特許文献２参照）。この使用電力量表示端末は、表示器および電子回路を収容する金属製ケースに突起部を一体に成形して、プラスチック製ブロックが挿入されてくる側が開放した軸受部を構成し、その軸受部に金属製カバーの軸部を配置した後、ブロック収容部に装着されたプラスチック製ブロックに成形されている軸押え突起部が軸受部の開放側を塞ぐよう位置することで、金属製カバーがその軸受部を中心として揺動可能に金属製ケースに取り付けられている。この構成により、メンテナンス作業時に金属製カバーを開けるとき、金属製カバーが脱落しないので、作業性がよくなり、短絡・感電事故の可能性がなくなる。
【特許文献１】特開２００２-３５０４６８号公報
【特許文献２】特開２００２-２６７７００号公報
【発明の開示】
【発明が解決しようとする課題】
【００２０】
上述した従来の電力量計測システムでは、設置時に、当該電力量計測システムに表示端末が含まれるかどうかによってスライドスイッチを設定する必要があるが、設置作業時にスライドスイッチの設定を忘れてしまうことがある。その結果、通信装置による通信が不可能になる場合が発生するので、この場合は、設置作業のやり直しや、後日、スライドスイッチの設定作業を再度行わなければならないという課題を有していた。
【００２１】
本発明は、電力量計測システムの構成如何に拘わらず通信方向の設定作業を不要にし、電力量計測システムの設置作業を効率化できる電力量計用の通信装置を提供することにある。
【課題を解決するための手段】
【００２２】
上記課題を解決するために第１の発明は、使用電力量を計量する電力量計又は電力量計で計量された計量値を表示する表示端末が接続され、電力量計又は表示端末との間で通信を行う電力量計用の通信装置であって、表示端末と通信するための第１通信路又は電力量計と通信するための第２通信路の何れか一方を選択する通信回路部と、表示端末の接続の有無を調べ、表示端末が接続されている場合に第１通信路を選択し、表示端末が接続されていない場合に第２通信路を選択するように通信回路部を制御し、選択された第１通信路又は第２通信路を用いて電力量計又は表示端末との間で通信を行う制御部とを備えたことを特徴とする。
【００２３】
また、第２の発明は、使用電力量を計量する電力量計又は電力量計で計量された計量値を表示する表示端末が接続され、電力量計又は表示端末との間で通信を行う電力量計用の通信装置であって、表示端末と通信するための第１通信路又は電力量計と通信するための第２通信路の何れか一方を選択するプッシュスイッチと、プッシュスイッチがオンされている場合に第１通信路を選択し、プッシュスイッチがオフされている場合に第２通信路を選択し、選択された第１通信路又は第２通信路を用いて電力量計又は表示端末との間で通信を行う制御部とを備え、プッシュスイッチは、封印用金具によって電力量計に取り付けられた場合にオフされ、表示端末と一緒に電力量計に取り付けられた場合にオンされることを特徴とする。
【００２４】
更に、第３の発明は、使用電力量を計量する電力量計又は電力量計で計量された計量値を表示する表示端末が接続され、電力量計又は表示端末との間で通信を行う電力量計用の通信装置であって、表示端末と通信するための第１通信路又は電力量計と通信するための第２通信路の何れか一方を選択するスライドスイッチと、スライドスイッチがオンされている場合に第１通信路を選択し、スライドスイッチがオフされている場合に第２通信路を選択し、選択された第１通信路又は第２通信路を用いて電力量計又は表示端末との間で通信を行う制御部と、第１通信路を介して表示端末に接続するための接続端子をケースから露出させる開口部と、開口部を開閉させ、スライドスイッチに係合する凸部が形成された端子カバーとを備え、スライドスイッチは、端子カバーが閉じられることにより凸部によって一方向に移動されてオフされ、端子カバーが開かれることにより凸部によって他方向に移動されてオンされることを特徴とする。
【発明の効果】
【００２５】
第１の発明によれば、表示端末の接続の有無を自動的に識別し、電力量計及び表示端末の何れを通信対象とするかを切り替えるように構成したので、従来の電力量計用の通信装置にて、設置作業時に行っていた表示端末の設置の有無に応じたスライドスイッチの設定を行う必要がなくなり、設置工事時の設定忘れや、設定ミスによる作業のやり直しをすることがなくなる。その結果、設置工事作業の効率化を向上させることができる。
【００２６】
また、第２の発明によれば、通信装置の上部に取り付けるものが封印用金具又は表示端末の何れであるかによりプッシュスイッチのオン又はオフが決定され、電力量計及び表示端末の何れを通信対象とするかを切り替えるように構成したので、従来の電力量計用の通信装置にて、設置作業時に行っていた表示端末の設置の有無に応じたスライドスイッチの設定を行う必要がなくなり、設置工事時の設定忘れや、設定ミスによる作業のやり直しをすることがなくなる。その結果、設置工事作業の効率化を向上させることができる。
【００２７】
また、第３の発明によれば、表示端末を接続するかどうかに応じて、通信装置のケースに形成された開口部に設けられた端子カバーを開閉することにより、電力量計及び表示端末の何れを通信対象とするかを切り替えるように構成したので、従来の電力量計用の通信装置にて、設置作業時に行っていた表示端末の設置の有無に応じたスライドスイッチの設定を行う必要がなくなり、設置工事時の設定忘れや、設定ミスによる作業のやり直しをすることがなくなる。その結果、設置工事作業の効率化を向上させることができる。
【発明を実施するための最良の形態】
【００２８】
以下、本発明の実施例を図面を参照しながら詳細に説明する。なお、以下で説明する実施例においては、通信装置は、図２０に示した電力量計測システムに適用されるものとする。従って、この通信装置が適用された電力量計測システムの他の構成要素である電力量計１及び表示端末２の説明は省略する。また、以下で説明する各実施例では、背景技術の欄で説明した電力量測定システム及びその構成要素と同一又は相当部分には、それらに付された符号と同一の符号を付して説明する。
【実施例１】
【００２９】
図１は本発明の実施例１に係る電力量計用の通信装置３の電気回路の構成を示すブロック図である。この通信装置３は、電源部３１、制御部３２及び通信回路部３３から構成されている。この通信装置３は、図２０に示す従来の通信装置と同様に、ＡＣ電源線３４及び通信線３５によって電力量計１のモジュラ端子１３に接続されるとともに、通信線２５によって表示端末２に接続される。
【００３０】
電源部３１は電力量計１からＡＣ電源線３４を介して供給される電力を内部で取り扱い可能な電圧を有する電力に変換する。この電源部３１で変換することにより得られた電力は、制御部３２及び通信回路部３３に供給される。
【００３１】
制御部３２は、例えばマイクロコンピュータから構成されており、通信線３５によって接続された電力量計１及び通信線２５によって接続された表示端末２との間で行われる通信及び上位端末（図示しない）との間で行われる通信を制御する。この制御部３２の動作は、後にフローチャートを参照して詳述する。
【００３２】
通信回路部３３は、電力量計１又は表示端末２と通信を行うために、通信線２５を使用するか通信線３５を使用するかを切り替える。具体的には、通信回路部３３は、通信線２５を用いて表示端末２との間で通信を行うための第１通信インタフェース（Ｉ／Ｆ）５１と通信線３５を用いて電力量計１との間で通信を行うための第２通信インタフェース（Ｉ／Ｆ）５２とから構成されている。これら第１通信インタフェース５１及び第２通信インタフェース５２は、フォトカプラインタフェースにより構成されている。本発明の第１通信路は第１通信インタフェース５１と通信線２５とから構成され、第２通信路は第２通信インタフェース５２と通信線３５とから構成されている。
【００３３】
図２は第１通信インタフェース５１及び第２通信インタフェース５２の構成を示す回路図である。第１通信インタフェース５１の構成と第２通信インタフェース５２の構成とは同じであるので、以下では第１通信インタフェース５１についてのみ説明する。なお、電力量計１の計量制御部１２及び表示端末２の制御・表示部２２に含まれる通信インタフェース（図示しない）も、図２と同様の回路構成を有する。
【００３４】
第１通信インタフェース５１は、抵抗５３、フォトカプラ５４、フォトカプラ５５、抵抗５６及び抵抗５７から構成されている。抵抗５３の一端は制御部３２に接続され、他端はフォトカプラ５４を構成するダイオードのアノードに接続されている。フォトカプラ５４を構成するダイオードのカソードは接地されている。フォトカプラ５４を構成するトランジスタのコレクタは電源に接続され、エミッタはフォトカプラ５５を構成するダイオードのアノードに接続されている。フォトカプラ５５を構成するダイオードのカソードは電流制限用の抵抗５６の一端に接続され、この抵抗５６の他端は通信線２５に接続されている。フォトカプラ５５を構成するトランジスタのコレクタは抵抗５７によってプルアップされるとともに制御部３２に接続され、エミッタは接地されている。
【００３５】
第１通信インタフェース５１においては、送信時には、制御部３２から抵抗５３を介してフォトカプラ５４に送信信号が供給される。これにより、フォトカプラ５４を構成するトランジスタがＯＮ／ＯＦＦし、フォトカプラ５５を構成するダイオード及び抵抗５６を介して表示端末２に送信信号が送出される。
【００３６】
また、第１通信インタフェース５１においては、受信時には、制御部３２から抵抗５３を介してフォトカプラ５４に内部電源電圧レベル（高レベル）の信号が供給され、制御部３２自身は受信待ち状態になる。これにより、フォトカプラ５４のトランジスタはＯＮ状態を維持する。この状態で、表示端末２の制御・表示部２２に設けられている通信インタフェースのフォトカプラ（図示しない）を構成するトランジスタがＯＮ／ＯＦＦすると、通信線２５に流れる電流が断続する。これにより、第１通信インタフェース５１のフォトカプラ５５を構成するトランジスタがＯＮ／ＯＦＦし、フォトカプラ５５を構成するトランジスタのコレクタは、抵抗５７でプルアップされているので、トランジスタのＯＮ／ＯＦＦに応じた信号を出力する。このフォトカプラ５５を構成するトランジスタのコレクタの出力が、受信信号として、制御部３２に送られる。
【００３７】
更に、通信インタフェース５１においては、制御部３２からの送信信号に応じてフォトカプラ５４を構成するトランジスタがＯＮ／ＯＦＦされると、通信線２５に表示端末２が接続されている場合のみ、受信用のフォトカプラ５５も同時にＯＮ／ＯＦＦする。つまり、通信線２５に表示端末２が接続されていない場合は、第１通信インタフェース５１が送信信号を送出しても、通信線２５を介して電流ループが形成されないため、フォトカプラ５５を構成するトランジスタがＯＮしない。その結果、制御部３２へ送られる受信信号は一定レベル（内部電源電圧のレベル）を維持し、変化しない。
【００３８】
次に、以上のように構成される本発明の実施例１に係る電力量計用の通信装置の動作を、制御部３２で行われる処理を中心に、図３に示すフローチャートを参照しながら説明する。
【００３９】
通信装置３の制御部３２は、電力量計１又は表示端末２と通信を行う場合、まず、ＯＮ／ＯＦＦの繰り返し信号（以下、「初期信号」という）を第１通信インタフェース５１に送る（ステップＳ１０）。次に、制御部３２は、受信信号の有無を調べながらループし、受信待ち状態に入る（ステップＳ１１）。
【００４０】
この受信待ち状態で、受信信号が存在することが判断されると、その受信信号がＯＮ／ＯＦＦする信号であるかどうかが調べられる（ステップＳ１２）。ステップＳ１２で、受信信号がＯＮ／ＯＦＦする信号であることが判断されると、制御部３２は、表示端末２が接続されていることを認識し、第１通信インタフェース５１及び通信線２５を用いて表示端末２との間で通信を行うための通信処理を実行する（ステップＳ１３）。このステップＳ１３で行われる通信処理では、表示端末２との間で表示データが送受信され、また、表示端末２を経由して電力量計１との間で電力量データが送受信される。
【００４１】
一方、ステップＳ１２で、受信信号がＯＮ／ＯＦＦする信号でない（一定レベルを維持している信号である）ことが判断されると、制御部３２は、表示端末２が接続されていないことを認識し、第２通信インタフェース５２及び通信線３５を用いて電力量計１との間で通信を行うための通信処理を実行する（ステップＳ１４）。ステップＳ１４で行われる通信処理では、電力量計１との間で電力量データが送受信される。
【００４２】
以上説明したように、本発明の実施例１に係る通信装置３によれば、表示端末２の接続の有無を自動的に判断し、通信対象を切り替えることができるので、従来の電力量計用の通信装置にて、設置作業時に行っていた表示端末２の設置の有無に応じたスライドスイッチの設定を行う必要がなくなり、設置工事時の設定忘れや、設定ミスによる作業のやり直しをすることがなくなる。その結果、設置工事作業の効率化を向上させることができる。
【実施例２】
【００４３】
次に、本発明の実施例２に係る電力量計の通信装置を説明する。この実施例２に係る通信装置は、リレー回路を用いて電力量計１又は表示端末２の何れかを選択するようにしたものである。
【００４４】
図４は本発明の実施例２に係る通信装置３の電気回路の構成を示すブロック図である。この通信装置３は、電源部３１、制御部３２及び通信回路部３３から構成されている。この通信装置３は、図２０に示す従来の通信装置と同様に、ＡＣ電源線３４及び通信線３５によって電力量計１のモジュラ端子１３に接続されるとともに、通信線２５によって表示端末２に接続される。
【００４５】
実施例２に係る通信装置３の電源部３１及び制御部３２の構成は実施例１と同じであり、通信回路部３３の構成のみが実施例１と異なる。従って、以下では、通信回路部３３を中心に説明する。
【００４６】
通信回路部３３は、通信インタフェース（Ｉ／Ｆ）５１とリレー回路５８とから構成されている。通信インタフェース５１は、制御部３２と電力量計１又は表示端末２との電気的条件を整合させる。リレー回路５８は、制御部３２からの制御信号に応答して、通信インタフェース５１を、電力量計１側の通信線３５又は表示端末２側の通信線２５の何れかに接続する。リレー回路５８は、例えばラッチングリレーによって構成されている。
【００４７】
通信インタフェース５１の構成は、実施例１で図２を参照して説明した第１通信インタフェース５１の構成と同じである。
【００４８】
次に、以上のように構成される本発明の実施例２に係る電力量計用の通信装置の動作を、制御部３２で行われる処理を中心に、図５に示すフローチャートを参照しながら説明する。
【００４９】
通信装置３の制御部３２は、電力量計１又は表示端末２と通信を行う場合、まず、リレー回路５８に制御信号を送ることにより、その共通接点を表示端末２側の第１接点に接続する（ステップＳ２０）。次に、制御部３２は、ＯＮ／ＯＦＦする初期信号を通信インタフェース５１に送る（ステップＳ２１）。その後、制御部３２は、受信信号の有無を調べながらループし、受信待ち状態に入る（ステップＳ２２）。
【００５０】
この受信待ち状態で、受信信号が存在することが判断されると、その受信信号がＯＮ／ＯＦＦする信号であるかどうかが調べられる（ステップＳ２３）。ステップＳ２３で、受信信号がＯＮ／ＯＦＦする信号であることが判断されると、制御部３２は、表示端末２が接続されていることを認識し、通信線２５を用いて表示端末２との間で通信を行うための通信処理を実行する（ステップＳ２４）。ステップＳ２４で行われる通信処理では、表示端末２との間で表示データが送受信され、また、表示端末２を経由して電力量計１との間で電力量データが送受信される。
【００５１】
一方、ステップＳ２３で、ＯＮ／ＯＦＦする信号でない（一定レベルを維持している信号である）ことが判断されると、制御部３２は、表示端末２が接続されていないことを認識し、リレー回路５８に制御信号を送ることにより、その共通接点を電力量計１側の第２接点に接続する（ステップＳ２５）。次に、通信線３５を用いて電力量計１との間で通信を行うための通信処理を実行する（ステップＳ２６）。ステップＳ２６で行われる通信処理では、電力量計１との間で電力量データが送受信される。
【００５２】
以上説明したように、本発明の実施例２に係る通信装置３によれば、表示端末２の接続の有無を自動的に判断し、通信対象を切り替えることができるので、従来の電力量計用の通信装置にて、設置作業時に行っていた表示端末２の設置の有無に応じたスライドスイッチの設定を行う必要がなくなり、設置工事時の設定忘れや、設定ミスによる作業のやり直しをすることがなくなる。その結果、設置工事作業の効率化を向上させることができる。
【実施例３】
【００５３】
本発明の実施例３に係る電力量計の通信装置を説明する。上述した実施例１に係る通信装置は、第１通信インタフェース５１を介して表示端末２に送信した初期信号が変化するか否かにより表示端末２の接続の有無を判断するように構成したが、この実施例３に係る通信装置は、照会コマンドを表示端末２に送り、表示端末２から応答コマンドが返送されてくるか否かにより表示端末２の接続の有無を判断することを特徴とする。
【００５４】
実施例３に係る通信装置のハードウエア構成は、上述した実施例１に係る通信装置の構成と同じであり（図１及び図２参照）、制御部３２で実行される処理が実施例１に係る通信装置で実行される処理と異なる。
【００５５】
本発明の実施例３に係る電力量計用の通信装置の動作を、制御部３２で行われる処理を中心に、図６に示すフローチャートを参照しながら説明する。
【００５６】
通信装置３の制御部３２は、電力量計１又は表示端末２と通信を行う場合、まず、表示端末２の接続の有無を照会する照会コマンドを第１通信インタフェース５１に送る（ステップＳ３０）。次に、制御部３２は、照会コマンドに対する応答コマンドが受信されたかどうかを調べる（ステップＳ２１）。照会コマンド及び応答コマンドはコード化されたデータから構成されており、表示端末２と通信装置３との間のソフトウェアインタフェース仕様として予め定められている。
【００５７】
ステップＳ２１で応答コマンドを受信していないことが判断されると、次に、所定時間（例えば１０秒）が経過したかどうかが調べられる（ステップＳ３２）。そして、所定時間が経過していないことが判断されると、シーケンスはステップＳ３１に戻り、以下、ステップＳ３１及びＳ３２を繰り返し実行しながら受信待ち状態に入る。受信待ち状態で、ステップＳ３１において応答コマンドが受信されたことが判断されると、制御部３２は、表示端末２が接続されていることを認識し、第１通信インタフェース５１及び通信線２５を用いて表示端末２との間で通信を行うための通信処理を実行する（ステップＳ３３）。ステップＳ１３で行われる通信処理では、表示端末２との間で表示データが送受信され、また、表示端末２を経由して電力量計１との間で電力量データが送受信される。
【００５８】
一方、受信待ち状態で、ステップＳ３２において、所定時間が経過したことが判断されると、制御部３２は、表示端末２が接続されていないことを認識し、第２通信インタフェース５２及び通信線３５を用いて電力量計１との間で通信を行うための通信処理を実行する（ステップＳ３４）。このステップＳ３４で行われる通信処理では、電力量計１との間で電力量データが送受信される。
【００５９】
以上説明したように、本発明の実施例３に係る通信装置によれば、表示端末２の接続の有無を自動的に判断し、通信対象を切り替えることができるので、従来の電力量計用の通信装置にて、設置作業時に行っていた表示端末２の設置の有無に応じたスライドスイッチの設定を行う必要がなくなり、設置工事時の設定忘れや、設定ミスによる作業のやり直しをすることがなくなる。その結果、設置工事作業の効率化を向上させることができる。
【００６０】
なお、この実施例３に係る通信装置は、以下のように変形することができる。即ち、照会コマンドに対する応答コマンドが所定時間内に表示端末２から受信されず、表示端末２が接続されていないと判断された場合、第２通信インタフェース５２及び通信線３５を用いて電力量計１との間で通信を行うための通信処理（ステップＳ３４）を実行する前に、実施例１と同様にして、第１通信インタフェース５１を介して表示端末２に初期信号を送信する。そして、これに応答する受信信号が変化している場合に表示端末２が接続されていると認識し、第２通信インタフェース５２及び通信線３５を用いて電力量計１との間で通信を行うための通信処理（ステップＳ３４）を実行するように構成できる。
【００６１】
この構成によれば、例えば、通信装置３に表示端末２が接続されているが、表示端末２が電力量計１と通信中であったため、照会コマンドに対する応答コマンドを送信できなかった場合であっても、再度、表示端末２の有無の確認が行われるので、表示端末２の接続の有無の判断をより確実に行うことができる。
【００６２】
また、実施例３では、通信インタフェースを２つ備えることにより通信線との接続の切り替えを行っているが、実施例２のように、１つの通信インタフェースとリレー回路５８を用いて、通信線との接続の切り替えを行うように構成することもできる。
【実施例４】
【００６３】
次に、本発明の実施例４に係る通信装置を説明する。この実施例４に係る通信装置は、図２０を参照して説明した従来の通信装置におけるスイッチ回路５ｂ（図２２参照）をプッシュスイッチで構成し、表示端末２の設置の有無により機械的にＯＮ／ＯＦＦさせるものである。
【００６４】
図７は本発明の実施例４に係る通信装置３の電気的な構成を示すブロック図である。この通信装置３は、電源部３１、制御部３２及び通信回路部３３から構成されている。この通信装置３は、図２０に示す従来の通信装置と同様に、ＡＣ電源線３４及び通信線３５によって電力量計１のモジュラ端子１３に接続されるとともに、通信線２５によって表示端末２に接続される。
【００６５】
実施例４に係る通信装置３の電源部３１及び制御部３２の構成は技術背景の欄で説明した通信装置のそれらと同じであり、通信回路部３３を構成するスイッチ回路がプッシュスイッチ６５で構成されている点のみが従来の通信装置と異なる。
【００６６】
実施例４に係る通信装置３では、プッシュスイッチ６５が押されていない場合は、通信インタフェース５１は電力量計１側の通信線３５に接続され、プッシュスイッチ６５が押されている場合は、通信インタフェース５１は表示端末２側の通信線２５に接続される。
【００６７】
プッシュスイッチ６５は、図８〜図１１に示すように、通信装置３のケースの外側（図中上側）に突出するように設けられている。
【００６８】
図２１に示す電力量計測システムのように、通信装置３と電力量計１とを一緒に計器箱（図示しない）に設置する場合は、図８の分解斜視図に示すように、表示端末取付金具６１を電力量計１の上部に取り付ける。そして、この表示端末取付金具６１に、プッシュスイッチ６５が設けられている面が上側になるようにして通信装置３をはめ込み、通信装置３の上側から封印用金具６３を被せてねじ６４で固定する。
【００６９】
封印用金具６３には、通信装置３の上側から封印用金具６３を被せてねじ６４で固定した場合に通信装置３のプッシュスイッチ６５を押し込まないように、プッシュスイッチ６５に対向する位置に封印用金具凹部６６が設けられている。
【００７０】
従って、図２１に示す電力量計測システムのように、電力量計１と通信装置３とを一緒に計器箱に設置する場合には、図９に封印用金具６３を切断して示すように、通信装置３を電力量計１の上部に取り付けられた表示端末取付金具６１にはめ込み、その上側から封印用金具６３をねじ６４により固定した状態では、封印用金具６３に設けられた封印用金具凹部６６により通信装置３のプッシュスイッチ６５は押し込まれない。従って、通信インタフェース５１は電力量計１側の通信線３５に接続された状態に設定される。
【００７１】
一方、図２０の電力量計測システムのように、電力量計１、表示端末２及び通信装置３を一緒に計器箱に設置する場合には、図１０の分解斜視図に示すように、表示端末取付金具６１を電力量計１の上部に取り付ける。そして、表示端末取付金具６１に、プッシュスイッチ６５が設けられている面が上側になるようにして通信装置３をはめ込み、更に、通信装置３の上側に表示端末２を載置して表示端末取付ねじ６８で固定する。
【００７２】
表示端末２の底面（通信装置３のブッシュスイッチ６５が設けられている面に対向する面）には封印用金具６３に設けられているような封印用金具凹部６６が設けていない。
【００７３】
従って、図２０に示す電力量計測システムのように、電力量計１、表示端末２及び通信装置３を一緒に設置する場合には、図１１に表示端末２を切断して示すように、通信装置３を電力量計１の上部に取り付けられた表示端末取付金具６１にはめ込み、その上側から表示端末２を表示端末取付ねじ６８により固定した状態では、表示端末２の底面により通信装置３のプッシュスイッチ６５は押し込まれる。従って、通信インタフェース５１は表示端末２側の通信線２５に接続された状態に設定される。
【００７４】
以上説明したように、本発明の実施例４に係る通信装置によれば、通信装置３の上部に取り付けるものが封印用金具６３又は表示端末２であるかにより、通信装置３の通信インタフェース５１の通信対象を切り替えることができるので、従来の電力量計用の通信装置にて、設置作業時に行っていた表示端末２の設置の有無に応じたスライドスイッチの設定を行う必要がなくなり、設置工事時の設定忘れや、設定ミスによる作業のやり直しをすることがなくなる。その結果、設置工事作業の効率化を向上させることができる。
【実施例５】
【００７５】
次に、本発明の実施例５に係る通信装置を説明する。実施例５に係る通信装置は、上述した実施例４と同様に、図２０を参照して説明した従来の通信装置におけるスイッチ回路５ｂ（図２２参照）をプッシュスイッチで構成し、表示端末２の設置の有無により機械的にＯＮ／ＯＦＦさせるものである。
【００７６】
本発明の実施例５に係る通信装置３の電気回路の構成は、実施例４（図７参照）のそれと同じである。但し、スイッチ回路を構成するプッシュスイッチ６５のＯＮとＯＦＦとが実施例４の場合と逆に作用する点で実施例４と異なる。
【００７７】
即ち、実施例５に係る通信装置３では、プッシュスイッチ６５が押されている場合は、通信インタフェース５１は電力量計１側の通信線３５に接続され、プッシュスイッチ６５が押されていない場合は、通信インタフェース５１は表示端末２側の通信線２５に接続される。
【００７８】
プッシュスイッチ６５は、図１２〜図１５に示すように、通信装置３のケースの外側（図中上側）から突出しないように設けられている。
【００７９】
図２１に示す電力量計測システムのように、通信装置３と電力量計１とを一緒に計器箱（図示しない）に設置する場合は、図１２の分解斜視図に示すように、表示端末取付金具６１を電力量計１の上部に取り付ける。そして、この表示端末取付金具６１に、プッシュスイッチ６５が設けられている面が上側になるようにして通信装置３をはめ込み、通信装置３の上側から封印用金具６３を被せてねじ６４で固定する。
【００８０】
封印用金具６３には、通信装置３の上側から封印用金具６３を被せてねじ６４で固定した場合に通信装置３のプッシュスイッチ６５を押し込むように、プッシュスイッチ６５に対向する位置に封印用金具凸部６９が設けられている。
【００８１】
従って、図２１に示す電力量計測システムのように、電力量計１と通信装置３とを一緒に計器箱に設置する場合には、図１３に封印用金具６３を切断して示すように、通信装置３を電力量計１の上部に取り付けられた表示端末取付金具６１にはめ込み、その上側から封印用金具６３をねじ６４により固定した状態では、封印用金具６３に設けられた封印用金具凸部６９により通信装置３のプッシュスイッチ６５は押し込まれる。従って、通信インタフェース５１は電力量計１側の通信線３５に接続された状態に設定される。
【００８２】
一方、図２０の電力量計測システムのように、電力量計１、表示端末２及び通信装置３を一緒に計器箱に設置する場合には、図１４の分解斜視図に示すように、表示端末取付金具６１を電力量計１の上部に取り付ける。そして、表示端末取付金具６１に、プッシュスイッチ６５が設けられている面が上側になるようにして通信装置３をはめ込み、更に、通信装置３の上側に表示端末２を載置して表示端末取付ねじ６８で固定する。
【００８３】
表示端末２の底面（通信装置３のブッシュスイッチ６５が設けられている面に対向する面）には封印用金具６３に設けられているような封印用金具凸部６９が設けていない。
【００８４】
従って、図２０に示す電力量計測システムのように、電力量計１、表示端末２及び通信装置３を一緒に設置する場合には、図１５に表示端末２を切断して示すように、通信装置３を電力量計１の上部に取り付けられた表示端末取付金具６１にはめ込み、その上側から表示端末２を表示端末取付ねじ６８により固定した状態では、表示端末２の底面により通信装置３のプッシュスイッチ６５は押し込まれない。従って、通信インタフェース５１は表示端末２側の通信線２５に接続された状態に設定される。
【００８５】
以上説明したように、本発明の実施例５に係る通信装置によれば、通信装置３の上部に取り付けるものが封印用金具６３又は表示端末２であるかにより、通信装置３の通信インタフェース５１の通信対象を切り替えることができるので、従来の電力量計用の通信装置にて、設置作業時に行っていた表示端末２の設置の有無に応じたスライドスイッチの設定を行う必要がなくなり、設置工事時の設定忘れや、設定ミスによる作業のやり直しをすることがなくなる。その結果、設置工事作業の効率化を向上させることができる。
【実施例６】
【００８６】
次に、本発明の実施例６に係る通信装置を説明する。実施例６に係る通信装置は、図２０を参照して説明した従来の通信装置と同様に、スイッチ回路５ｂ（図２２参照）をスライドスイッチで構成し、このスライドスイッチを端子カバーの開閉に応じて機械的にＯＮ／ＯＦＦさせるものである。
【００８７】
本発明の実施例６に係る通信装置３の電気回路の構成は、技術背景の欄で説明した通信装置（図２２参照）のそれと同じであり、通信インタフェース５１のスイッチ回路５ｂはスライドスイッチ７３で構成されている。
【００８８】
この通信装置３は、図１６に示すように、ケースの側面に開口部７１が設けられ、この開口部７１に、図示矢印ＡＢ方向にスライド可能な端子カバー７２が設けられている。端子カバー７２の内側（通信装置３の内部側）には、図１７に端子カバー７２の上半分を切り欠いて示すように、カバー凸部７４ａ及び７４ｂが形成されている。
【００８９】
また、通信装置３の内部には、図示しない基板に搭載されたスライドスイッチ７３及び通信線２５が接続される接続端子７５が設けられている。
【００９０】
図２１に示す電力量計測システムのように、通信装置３及び電力量計１のみが設置され、表示端末２が設置されない場合は通信線２５が接続されないため、図１６及び図１７に示すように、開口部７１を覆うように端子カバー７２が閉じられる。この場合、端子カバー７２が図示矢印Ｂ方向に移動されることにより、スライドスイッチ７３がカバー凸部７４ａに当接して図示矢印Ｂ方向に移動される。これにより、通信インタフェース５１は電力量計１側の通信線３５に接続された状態に設定される。
【００９１】
一方、図２０の電力量計測システムのように、電力量計１、表示端末２及び通信装置３が設置される場合には、図１８及び図１９に示すように、開口部７１から接続端子７５が露出するように、端子カバー７２が開かれる。この場合、端子カバー７２が図示矢印Ａ方向に移動されることにより、スライドスイッチ７３がカバー凸部７４ｂに当接して図示矢印Ａ方向に移動される。これにより、通信インタフェース５１は表示端末２側の通信線２５に接続された状態に設定される。
【００９２】
以上説明したように、本発明の実施例６に係る通信装置によれば、表示端末２を接続するかどうかに応じて、通信装置３の端子カバー７２を開閉することにより、通信装置３の通信インタフェース５１の通信対象を切り替えることができるので、従来の電力量計用の通信装置にて、設置作業時に行っていた表示端末２の設置の有無に応じたスライドスイッチの設定を行う必要がなくなり、設置工事時の設定忘れや、設定ミスによる作業のやり直しをすることがなくなる。その結果、設置工事作業の効率化を向上させることができる。
【００９３】
なお、上述した実施例１〜実施例３に係る通信装置の各々に実施例４〜実施例６の何れかを組み合わせて、表示端末の接続の有無を電気的な方向と機械的な方法の両方で確認するように構成できる。この構成によれば、表示端末２の接続の有無の確認をより確実に行うことができる。
【産業上の利用可能性】
【００９４】
本発明は、電力量計の計量値を上位端末で自動検針する自動検針システムに適用可能である。
【図面の簡単な説明】
【００９５】
【図１】本発明の実施例１に係る電力量計用の通信装置の電気的な構成を示すブロック図である。
【図２】本発明の実施例１に係る電力量計用の通信装置で使用される第１通信インタフェース及び第２通信インタフェースの構成を示す回路図である。
【図３】本発明の実施例１に係る電力量計用の通信装置の動作を説明するためのフローチャートである。
【図４】本発明の実施例２に係る電力量計用の通信装置の電気的な構成を示すブロック図である。
【図５】本発明の実施例２に係る電力量計用の通信装置の動作を説明するためのフローチャートである。
【図６】本発明の実施例３に係る電力量計用の通信装置の動作を説明するためのフローチャートである。
【図７】本発明の実施例４に係る電力量計用の通信装置の電気的な構成を示すブロック図である。
【図８】本発明の実施例４に係る通信装置を電力量計と一緒に設置するための構造を示す分解斜視図である。
【図９】本発明の実施例４に係る通信装置が電力量計と一緒に設置された状態を示す斜視図である。
【図１０】本発明の実施例４に係る通信装置を電力量計及び表示端末と一緒に設置するための構造を示す分解斜視図である。
【図１１】本発明の実施例４に係る通信装置が電力量計及び表示端末と一緒に設置された状態を示す斜視図である。
【図１２】本発明の実施例５に係る通信装置を電力量計と一緒に設置するための構造を示す分解斜視図である。
【図１３】本発明の実施例５に係る通信装置が電力量計と一緒に設置された状態を示す斜視図である。
【図１４】本発明の実施例５に係る通信装置を電力量計及び表示端末と一緒に設置するための構造を示す分解斜視図である。
【図１５】本発明の実施例５に係る通信装置が電力量計及び表示端末と一緒に設置された状態を示す斜視図である。
【図１６】本発明の実施例６に係る通信装置の保護カバーが閉じられた状態の外観を示す斜視図である。
【図１７】本発明の実施例６に係る通信装置の保護カバーが閉じられた状態の動作を説明するための図である。
【図１８】本発明の実施例６に係る通信装置の保護カバーが開かれた状態の外観を示す斜視図である。
【図１９】本発明の実施例６に係る通信装置の保護カバーが開かれた状態の動作を説明するための図である。
【図２０】従来の電力量計測システムの電気的な構成を示すブロック図である。
【図２１】図２０に示す電力量計測システムから表示端末を除去した電力量計測システムの電気的な構成を示すブロック図である。
【図２２】図２０に示す通信装置を構成する通信回路部の詳細な構成を示すブロック図である。
【符号の説明】
【００９６】
１  電力量計
２  表示端末
３  通信装置
４  電源
５ｂ  スイッチ回路
１１、２１、３１  電源部
１２  計量制御部
１３  モジュラ端子
２２  制御・表示部
２３  ＡＣ電源線
２４、２５、３５  通信線
３２  制御部
３３  通信回路部
３４  ＡＣ電源線
５１、５２  通信インタフェース
５３、５６、５７  抵抗
５４、５５  フォトカプラ
５８  リレー回路
６１  表示端末取付金具
６３  封印用金具
６４  ねじ
６５  プッシュスイッチ
６６  封印用金具凹部
６８  表示端末取付ねじ
６９  封印用金具下凸部
７１  開口部
７２  端子カバー
７３  スライドスイッチ
７４ａ、７４ｂ  カバー凸部
７５  接続端子
【図１】
2006275799.tif 000003
【図２】
2006275799.tif 000004
【図３】
2006275799.tif 000005
【図４】
2006275799.tif 000006
【図５】
2006275799.tif 000007
【図６】
2006275799.tif 000008
【図７】
2006275799.tif 000009
【図８】
2006275799.tif 000010
【図９】
2006275799.tif 000011
【図１０】
2006275799.tif 000012
【図１１】
2006275799.tif 000013
【図１２】
2006275799.tif 000014
【図１３】
2006275799.tif 000015
【図１４】
2006275799.tif 000016
【図１５】
2006275799.tif 000017
【図１６】
2006275799.tif 000018
【図１７】
2006275799.tif 000019
【図１８】
2006275799.tif 000020
【図１９】
2006275799.tif 000021
【図２０】
2006275799.tif 000022
【図２１】
2006275799.tif 000023
【図２２】
2006275799.tif 000024